(57)【要約】      （修正有）【課題】化粧料用容器への再充填や、化粧料が収納された収納部を入れ替え可能とし、さらには使用による劣化が避けられないアプリケーターを交換可能とした化粧料用容器を提供する。【解決手段】化粧料用容器１０は、支持柄１０１、アプリケーター１０２、ハカマ部材１０３、化粧料収納部１０４、カバー体１０５とから構成され、支持柄１０１の一端にアプリケーター１０２を着脱自在に装着し、支持柄１０１と化粧料収納部１０４は螺合すべく螺子部１０１ａ、１０４ａを設け、ハカマ部材１０３は、化粧料収納部１０４の一部を挿通させるための挿通孔１０３ａを有し、支持柄１０１と化粧料収納部１０４とに挟持され、化粧料収納部１０４を保護するカバー体１０５は、ハカマ部材１０３に着脱自在にして構成する。【選択図】図１
0003229542.tif 000002
【実用新案登録請求の範囲】
【請求項１】
支持柄、アプリケーター、ハカマ部材、化粧別収納部、カバー体とから構成され、
前記支持柄は、その一端に前記アプリケーターを着脱自在に装着し、
前記支持柄と前記化粧料収納部には、螺合すべく螺子部を設け、
前記ハカマ部材は、前記化粧料収納部の一部を挿通させるための挿通孔を有し、前記支持柄と前記化粧料収納部とに挟持されるように設け、
前記化粧料収納部を保護するカバー体は、前記ハカマ部材に着脱自在として構成されたことを特徴とする化粧料用容器。
【請求項２】
支持柄、第１のアプリケーター、第２のアプリケーター、キャップ、ハカマ部材、化粧料収納部、カバー体とから構成され、
前記支持柄は、その一端に前記第１のアプリケーターを、同支持柄の他端には前記第２のアプリケーターを夫々着脱自在に装着するとともに、該第２のアプリケーターを保護するキャップを設け、
前記第１のアプリケーターと前記化粧料収納部には、螺合すべく螺子部を設け、
前記ハカマ部材は、前記化粧料収納部の一部を挿通させるための挿通孔を有し、前記支持柄と前記化粧料収納部とに挟持されるように設け、
前記化粧料収納部を保護するカバー体は、前記ハカマ部材に着脱自在として構成されたことを特徴とする化粧料用容器。
【請求項３】
前記化粧料収納部は、低重心寄りの重心点に偏心し、前記カバー体は底部を球面形状としたことを特徴とする請求項１又は請求項２のいずれかに記載の化粧料用容器。
【請求項４】
前記化粧料収納部に液溜まりを設けたことを特徴とする請求項１乃至請求項３のいずれかに記載の化粧料用容器。
【考案の詳細な説明】
【技術分野】
【０００１】  本考案は、化粧料用容器に関するものである。
【背景技術】
【０００２】  リップグロス、マスカラ、アイブロウなど女性に不可欠な化粧品は様々あるが、これらを化粧の用途毎に一つひとつ揃えてバッグ等に入れて携帯するのは大変である。化粧料が残り少なくなっている場合に、新品の化粧品も携帯するとなると、同種の化粧用途であるにもかかわらず複数個を携帯しなければならなくなる。【０００３】  そこで、液体化粧料の貯留量を増やし、さらに液体化粧料の供給性に優れる液体化粧料用容器が提案されている（特許文献１）。
【先行技術文献】
【特許文献】
【０００４】
【特許文献１】特開２０２０−６２１８２号公報
【考案の概要】
【考案が解決しようとする課題】
【０００５】  特許文献１に記載の技術によれば、液体化粧料容器からシュノーケルを排除して、液体貯留部の内容積を大きく確保できるようにし、かつ中継芯の長さを短くすることで、ペン先への液体化粧料の供給性能を向上させることができるとする。【０００６】  しかし、いくら内容積を大きく確保したといえども、使用を継続すれば化粧料は無くなってゆくものであり、残り少なくなれば新品も携帯せざるを得ない。【０００７】  そこで、本考案は、化粧料用容器への再充填や、化粧料が収納された収納部を入れ替え可能とし、さらには使用による劣化が避けられないアプリケーターを交換可能とした化粧料用容器を提供することを目的とする。
【課題を解決するための手段】
【０００８】  上記課題を解決するために、本考案は次のように構成した。すなわち、請求項１に記載の化粧料用容器は、支持柄、アプリケーター、ハカマ部材、化粧料収納部、カバー体とから構成され、前記支持柄の一端に前記アプリケーターを着脱自在に装着し、前記支持柄と前記化粧料収納部には螺合すべく螺子部を設け、該ハカマ部材は、前記化粧料収納部の一部を挿通させるための挿通孔を有し、前記支持柄と前記化粧料収納部とに挟持され、前記化粧料収納部を保護するカバー体を前記ハカマ部材に着脱自在に構成したことを特徴としている。【０００９】  また、請求項２に記載の化粧料用容器は、支持柄、第１のアプリケーター、第２のアプリケーター、キャップ、ハカマ部材、化粧料収納部、カバー体とから構成され、前記支持柄の一端に前記第１のアプリケーターを、同支持柄の他端には前記第２のアプリケーターを夫々着脱自在に装着するとともに、該第２のアプリケーターを保護するキャップを設け、前記第１のアプリケーターと前記化粧料収納部には螺合すべく螺子部を設け、該ハカマ部材は、前記化粧料収納部の一部を挿通させるための挿通孔を有し、前記支持柄と前記化粧料収納部とに挟持され、化粧料収納部を保護するカバー体を前記ハカマ部材に着脱自在に構成したことを特徴としている。【００１０】  また、請求項３に記載の化粧料用容器は、請求項１又は請求項２のいずれかに記載の構成において、前記化粧料用収納部は、低重心寄りの重心点に偏心するようにし、前記カバー体は底部を球面形状としたことを特徴としている。【００１１】  また、請求項４に記載の化粧料用容器は、請求項１乃至請求項３のいずれかに記載の構成において、前記化粧料収納部に液溜まりを設けたことを特徴としている。
【考案の効果】
【００１２】  本考案によれば、支持柄と化粧料収納部とが螺合する構造であり、カバー体はハカマ部材に着脱可能とした構成により、残り少ない化粧料を充填することができるほか、異なる色が充填された化粧料収納部や、異なる化粧材が充填された化粧料収納部と入れ替えることも可能となる。
また、アプリケーターは支持柄に着脱自在な構成であることから、劣化した当該アプリケーターを新品のアプリケーターへと交換することが可能であり、異なる色が充填された化粧料収納部と入れ替えた場合には、新しいアプリケーターに交換することも可能である。【００１３】  また、前記支持柄の一端に、前記第１のアプリケーターとは異なる種類の第２のアプリケーターを設けたことにより、例えば、ブローペイントと、仕上げ用のグルームブラシを組み合わせて、一つの容器に２つの機能を持たせることができる。【００１４】  また、化粧料用収納部を、低重心寄りの重心点に偏心するようにし、カバー体の底部を球面形状としたことで、起き上がりこぼしのように自立する効果が得られ、使い勝手が良くなる。【００１５】  また、化粧料収納部に液溜まりを設けたことで、化粧料を最後まで使い切ることが容易に可能となる。
【図面の簡単な説明】
【００１６】
【図１】第１の実施例である化粧料用容器の構成を示す図である。
【図２】第１の実施例である化粧料用容器の使用態様を示す図である。
【図３】第２の実施例である化粧料用容器の構成を示す図である。
【図４】第２の実施例である化粧料用容器の使用態様を示す図である。
【考案を実施するための形態】
【００１７】  以下、本考案の実施の形態について、図面を参照しながら説明する。
【００１８】〔第１の実施例〕
第１の実施例である化粧料用容器１０は、図１及び図２に示すように、第一構成部となる支持柄１０１、化粧用アプリケーター１０２、第二構成部となるハカマ部材１０３、化粧料収納部１０４、カバー体１０５とから構成される。
【００１９】  化粧用アプリケーター１０２は、支持柄１０１に着脱自在とし、支持柄１０１と化粧料収納部１０４は互いに螺合すべく夫々螺子部１０１ａ、１０４ａが設けられている。該ハカマ部材１０３は、化粧料収納部１０１の一部を挿通させるための挿通孔１０３ａを有し、支持柄１０１と化粧料収納部１０４とに挟持され、化粧料収納部１０４を保護するカバー体１０５は、ハカマ部材１０３に着脱自在とした。尚、化粧料収納部１０４と該カバー体１０５を透明とすれば、収納された化粧料の残量が一目で把握することができる。
【００２０】  本実施例では、全長を１２２ｍｍ、幅（カバー体１０５の直径）を３１ｍｍとし、図示するように第一構成部より第二構成部に重心点を偏心した形状としているが、サイズや形状は、本考案の目的を達成できるものであれば、適宜設計変更することができる。
【００２１】  本実施例の容器の素材としては、内容物の保護、内容物との性状との適正や使用面での機能性を考慮し、ポリエチレン（ＰＥ）、ポリプロピレン（ＰＰ）、ポリエチレンテレフタレート（ＰＥＴ）、ポリスチレン（ＰＳ）、ポリ塩化ビニル（ＰＶＣ）などの熱可塑性樹脂、アクリロニトリル−ブタジエンラバー（ＮＢＲ）などのゴム素材やエラストマー素材、アルミニウム、黄銅（真ちゅう）、ステンレスなどの金属素材、透明ガラス、着色ガラスなどのガラス素材、さらにはアルミラミネート素材といった金属とプラスチックの複合素材などから適宜選択すればよい。
【００２２】  本実施例のアプリケーター１０２は、アイライナー用の塗布具としているが、これをマスカラ用のアプリケーターへと変更したり、リップグロス用のアプリケーターへと変更したりすることができる。その際、用途に応じて化粧料収納部１０４内の収容化粧料も適宜入れ替えて使用すればよい。
【００２３】〔第２の実施例〕
第２の実施例である化粧料用容器２０は、図３及び図４に示すように、第一構成部となる支持柄２０１、第１のアプリケーター２０２ａ、第２のアプリケーター２０２ｂ、キャップＣ、第二構成部となるハカマ部材２０３、化粧料収納部２０４、カバー体２０５とから構成される。
【００２４】  支持柄２０１の一端には第１のアプリケーター２０２ａを、同支持柄２０１の他端には第２のアプリケーター２０２ｂを夫々着脱自在に装着するとともに、第２のアプリケーター２０２ｂを保護するキャップＣが設けられている。
第１のアプリケーター２０２ａと化粧料収納部２０４は螺合すべく螺子部が設けられている。ハカマ部材２０３は、化粧料収納部２０４の一部を挿通させるための挿通孔２０３ａが形成されている。支持柄２０１と化粧料収納部２０４とに挟持され、化粧料収納部２０４を保護するカバー体２０５は、ハカマ部材２０３に着脱自在としている。化粧料収納部２０４とカバー体２０５を透明とすれば、収納された化粧料の残量を一目で把握することができる。
【００２５】  本実施例では、第１の実施例と同様、全長は１２２ｍｍ、幅（カバー体１０５の直径）を３１ｍｍとし、図示するように、第一構成部より第二構成部に重心点を偏心した形状としているが、かかるサイズや形状は、本考案の目的を達成できるものであれば、適宜設計変更してよい。
【００２６】  本実施例の容器の素材としても、内容物の保護、内容物との性状との適正や使用面での機能性を考慮し、ポリエチレン（ＰＥ）、ポリプロピレン（ＰＰ）、ポリエチレンテレフタレート（ＰＥＴ）、ポリスチレン（ＰＳ）、ポリ塩化ビニル（ＰＶＣ）などの熱可塑性樹脂、アクリロニトリル−ブタジエンラバー（ＮＢＲ）などのゴム素材やエラストマー素材、アルミニウム、黄銅（真ちゅう）、ステンレスなどの金属素材、透明ガラス、着色ガラスなどのガラス素材、さらにはアルミラミネート素材といった金属とプラスチックの複合素材などから適宜選択すればよい。
【００２７】  本実施例においては、第一の実施例のような使い方に加えて、例えば、次のような使い方ができる。第１のアプリケーター２０２ａをアイブロー（眉毛を書くために使う化粧品）用の塗布具とし、化粧料収納部には当該化粧用の化粧料が収納されているものとし、第２のアプリケーター２０２ｂをアイブローブラシ（書いた眉毛を整える具）とすることで、二通りの使用ができる。
【００２８】  また、第１のアプリケーター２０２ａを、ＮＢＲと呼ばれるゴムスポンジからなるアイシャドウ用の塗布具とし、化粧料収納部には当該アイシャドウ用の化粧料が収納されているものとし、第２のアプリケーター２０２ｂをペンシルタイプのアイライナーとしても良い。
【産業上の利用可能性】
【００２９】  本考案は、化粧料用容器を使用したり、製造したりする産業において利用される。
【符号の説明】
【００３０】  １０    第１の実施例である化粧料用容器
２０    第２の実施例である化粧料用容器
１０１、２０１  支持柄
１０２  アプリケーター
２０２ａ  第１のアプリケーター
２０２ｂ  第２のアプリケーター
１０３、２０３  ハカマ部材
１０３ａ、２０３ａ  挿通孔
１０４、２０４  化粧料収納部
１０５、２０５  カバー体
Ｃ  キャップ
Ｐ  液溜まり
【図１】
0003229542.tif 000003
【図２】
0003229542.tif 000004
【図３】
0003229542.tif 000005
【図４】
0003229542.tif 000006